(57)【要約】【課題】遊技台間にエアカーテンを形成する構成において、遊技者に対する報知効果を高めるというエアカーテン以外の新たな付加価値を付与することができる遊技場用台毎装置及び遊技場用システムを提供する。【解決手段】台毎空気清浄装置３には、通常のエアカーテン用吹出口７に加えて報知用吹出口８が設けられている。遊技者が呼出ランプ４の呼出釦４ａを操作すると、台毎空気清浄装置３は、エアカーテン用吹出口７に替えて報知用吹出口８から空気が吹出すように切替えると共に、ファンの送風を「強」に切替える。これにより、報知用吹出口８に取付けられている報知手段としての旗２０が強くはためいて「呼出中」の文字が視認可能となるので、遊技台島に出玉をアピールするための表示プレートを差込むにしても、従業員は、遊技者による呼出しを容易に確認することができる。【選択図】図６
2008073427.tif 000002
【特許請求の範囲】
【請求項１】
遊技台に対応して設けられ、送風手段からの空気を吹出口から吹出すことにより遊技台間にエアカーテンを形成する遊技場用台毎装置において、
前記遊技台で遊技する遊技者、或いは遊技場の従業員に対して所定の報知条件が成立したことを報知するか否かを判定する判定手段と、
前記送風手段から送風された空気を前記吹出口から独立して吹出すように設けられた報知用吹出口と、
この報知用吹出口からの空気の吹出しを受けるように設けられ、その吹出し受け状態で所定の動きを生じる報知手段と、
前記報知用吹出口からの空気の吹出しを遮断する遮断手段とを備え、
前記送風手段は、前記判定手段が前記所定の報知条件の成立を判定した場合に所定の送風強度で送風し、
前記遮断手段は、前記判定手段が前記所定の報知条件の成立を判定した場合に前記報知用吹出口に対する遮断状態を解除し、
前記遮断手段が前記報知用吹出口に対する遮断状態を解除した状態で前記報知手段が前記報知用吹出口から吹出される空気を受けることにより所定の動きを生じることで、遊技者、或いは遊技場の従業員に対して前記所定条件が成立している旨を報知することを特徴とする遊技場用台毎装置。
【請求項２】
前記遮断手段は、前記報知用吹出口に対する遮断状態を解除している場合に前記吹出口を遮断していることを特徴とする請求項１記載の遊技場用台毎装置。
【請求項３】
請求項１または２記載の遊技場用台毎装置と、
遊技者の呼出操作を受付ける呼出操作受付手段とを備え、
前記判定手段は、前記呼出操作受付手段に対する呼出操作があった場合に前記所定条件が成立したと判定することを特徴とする遊技場用システム。
【発明の詳細な説明】
【技術分野】
【０００１】
本発明は、送風手段から送風された空気を吹出口から吹出すことにより遊技台間にエアカーテンを形成する遊技場用台毎装置及びこの遊技場用台毎装置を利用した遊技場用システムに関する。
【背景技術】
【０００２】
遊技場では、遊技者が隣り合って遊技を行うため、遊技者が喫煙すると、隣の遊技者に対して煙草からの伏流煙が流れていき、隣の遊技者が不快な思いをすることがある。このような問題を解消するために、特許文献１のものでは、遊技台間に台毎空気清浄装置を設けることを提案している。
【特許文献１】特開平１０−１５２２０号公報
【特許文献２】実開平６−２６９７３号公報
【発明の開示】
【発明が解決しようとする課題】
【０００３】
特許文献１のような台毎空気清浄装置は、遊技台間に設けられ、隣り合う遊技者間にエアカーテンを形成することで煙草の煙などを遮断するという優れた機能を有するが、台間の限られたスペースで設置されるため、エアカーテン以外の新たな付加価値が求められている。
【０００４】
他方、遊技場では、遊技台上方に設けられる呼出ランプにより、各種の状態報知（例えば従業員に対する呼出しなど）を行う一方、呼出ランプ自体、或いはその近傍に、特許文献２に示すように各種の遊技状態に対応した表示プレートを差込んで遊技者に出玉感をアピールするようにしている。
しかしながら、近年、表示プレートの差込行為がエスカレートしてしまい、呼出ランプの状態報知を表示プレートが遮ってしまうことで、その状態報知、特に呼出表示を確認しづらくなっており、遊技者に対する報知効果を高めることが要望されている。
【０００５】
本発明は上記事情に鑑みてなされたもので、その目的は、遊技台間にエアカーテンを形成する構成において、遊技者に対する報知効果を高めるというエアカーテン以外の新たな付加価値を付与することができる遊技場用台毎装置及び遊技場用システムを提供することにある。
【課題を解決するための手段】
【０００６】
請求項１の発明によれば、所定条件が成立した場合に送風手段が所定の送風強度で送風すると共に、遮断手段が報知用吹出口に対する遮断状態を解除するので、報知手段は、報知用吹出口からの空気の吹出しを受けるようになる。これにより、報知手段が所定の動きを生じるので、所定の報知条件が成立した旨を新らたな手段で遊技者に対して報知することが可能となる。この場合、報知手段は報知用吹出口からの空気の吹出しを受ける位置に設けられているので、遊技者、或いは遊技場の従業員は、報知手段を容易に確認することができる。
【０００７】
請求項１のように吹出口に加えて報知用吹出口を設けた場合は、送風手段による送風が吹出口と報知用吹出口とに分散されてしまうことから、報知用吹出口からの風量が低下してしまい、報知手段に十分な風量が供給されずに報知効果が低下する虞があるものの、請求項２の発明によれば、遮断手段は、報知用吹出口に対する遮断を解除する場合は吹出口を遮断するので、報知用吹出口からの風量が低下してしまうことはなく、高い報知効果を発揮することができる。
【０００８】
請求項３の発明によれば、遊技者が呼出操作受付手段に対して呼出操作を行った場合は、報知用吹出口からの吹出しを受けて報知手段が所定の動きを生じるようになる。この場合、遊技場用台毎装置は、台間に設けられるので、遊技台の上方に表示プレートを差込む構成に比較して、遊技場の従業員は、呼出報知を容易に確認することができる。
【発明を実施するための最良の形態】
【０００９】
以下、本発明の一実施例について図面を参照して説明する。
図６は、遊技台島に設置された遊技台を示す正面図である。この図６において、遊技台島にはパチンコ機或いはパチスロ機などの遊技台１が設置されている。遊技台１間には台間玉貸機２（遊技台１がパチスロ機の場合は台間メダル貸機）及び台毎空気清浄装置（台毎装置に相当）３が設置されていると共に、遊技台１の上方には呼出ランプ４が設置されている（図７参照）。台毎空気清浄装置３は、遊技台１間にエアカーテンを形成するために設置されており、この台毎空気清浄装置３について説明する。
【００１０】
図２は台毎空気清浄装置３の斜視図、図３は台毎空気清浄装置３の内部構造を模式的に示す側面図である。これらの図２及び図３において、台毎空気清浄装置３の筺体をなす装置本体５の前面下部には吸込口６が設けられていると共に、前面上部にはエアカーテン用吹出口７及び報知用吹出口８が上下方向に並んで設けられている。エアカーテン用吹出口７と報知用吹出口８との境界となる部位には風除け部９が前方に突出して設けられている。装置本体５の前面中間部には風量調節釦１０が設けられている。装置本体５内には吸込口６とエアカーテン用吹出口７及び報知用吹出口８とを連通する空気流路１１が設けられている。この空気流路１１の上部にはファン（送風手段に相当）１２が設けられており、そのファン１２の駆動状態で、吸込口６から吸込まれた空気が空気流路１１を通じてエアカーテン用吹出口７（または報知用吹出口８）から前方に吹出される。空気流路１１の中間部には光触媒ユニット１３が取出可能に装着されており、通過する空気に含まれる微粒子を分解するようになっている。装置本体５内において吸込口６の背面側には電源基板１４が配置されている。
【００１１】
空気流路１１において吸込口６の背面となる部位にはフィルタ装着部１５が形成されており、そのフィルタ装着部１５にフィルタ１６が配置されている。このフィルタ１６は、通過する空気に含まれる微粒子、特には煙草の煙に含まれる微粒子を吸着するようになっている。
ここで、装置本体５の内部においてエアカーテン用吹出口７及び報知用吹出口８に対応して遮断装置（遮断手段に相当）１７が設けられている。この遮断装置１７は、エアカーテン用吹出口７と報知用吹出口８とを選択的に開口させるためのものである。
【００１２】
遮断装置１７の正面を示す図４において、遮断装置１７は、図示しないモータを有する駆動部１８と、この駆動部１８により昇降される開閉部１９とから構成されている。開閉部１９は、内側が開口した枠状の開口部１９ａと内側が閉鎖した板状の遮断部１９ｂとを連結した形状をなしており、通常状態においては、図３に示すように開閉部１９は上昇している。この開閉部１９の上昇状態では、エアカーテン用吹出口７が開口していると共に、報知用吹出口８に遮断部１９ｂが位置して当該報知用吹出口８を閉鎖した形態となっている。また、図１に示すように駆動部１８により開閉部１９が降下した状態では、エアカーテン用吹出口７に遮断部１９ｂが位置して当該エアカーテン用吹出口７が閉鎖される共に、報知用吹出口８に開口部１９ａが位置して当該報知用吹出口８が開口した形態となる。
【００１３】
報知用吹出口８のルーバには旗（報知手段に相当）２０が取付けられており、報知用吹出口８からの空気の吹出状態（図１及び図２は吹出状態を示している）では、旗２０が報知用吹出口８から吹出される空気を受けてはためくようになっている。この旗２０には「呼出中！」という文字が印刷されており、報知用吹出口８から後述するように「強」送風を受けてはためいた状態では「呼出中！」という文字が視認可能となる。
【００１４】
図５は、台毎空気清浄装置３の構成を示す機能ブロック図である。この図５において、台毎空気清浄装置３は制御装置（判定手段に相当）２１を主体として構成されている。制御装置２１は、風量調節釦１０から操作信号を受けると、ファン１２の回転数を調整することによりその風量を「通常」→「強」→「切」→「通常」と順に切り替える。また、制御装置２１は、呼出ランプ４から呼出信号を入力したときは、後述するようにファン１２の風量を「強」に切替えると共に、遮断装置１７を駆動して開閉部１９を降下するようになっている。
【００１５】
呼出ランプ４は、呼出釦（呼出操作受付手段に相当）４ａが操作された場合は、所定のランプを点灯することにより呼出状態である旨を報知すると共に、台毎空気清浄装置３に対して呼出信号を出力する。
図６に戻って、台間玉貸機２は、硬貨投入口２２に硬貨が投入されたときは、ノズル２３から遊技媒体を遊技台１へ払出すようになっている。
【００１６】
次に上記構成の作用について説明する。
台毎空気清浄装置３の動作状態では、ファン１２の駆動に応じて吸込口６から空気が吸込まれると同時に、エアカーテン用吹出口７から清浄された空気が吹出されるので、遊技台１間にはエアカーテンが形成されると共に、遊技場の空気が清浄化される。
【００１７】
遊技者が台毎空気清浄装置３からの吹出風量を切替えるために、台毎空気清浄装置３の風量調節釦１０を押下げ操作すると、台毎空気清浄装置３は、風量調節釦１０が操作される毎に、ファン１２の回転数を調整することにより風量を「通常」→「強」→「切」→「通常」の順に切替える。これにより、遊技者が遊技台１の左隣に位置する台毎空気清浄装置３の風量調節釦１０を押下げ操作すると、台毎空気清浄装置３から風量調節釦１０によって変更された風量で空気が吹出されるので、遊技台１間に切替られた風量でもってエアカーテンが形成されるようになる。
【００１８】
ここで、遊技者が風量調節釦１０に対する操作により「強」風量を設定するにしても、エアカーテン用吹出口７と報知用吹出口８との間には風除け部９が設けられているので、報知用吹出口８に取り付けられている呼出用の旗２０がエアカーテン用吹出口７からの空気の吹出しを受けてはためいてしまうことはない。
さて、遊技者が従業員を呼出すために呼出ランプ４の呼出釦４ａを押下げ操作すると、呼出ランプ４は、所定ランプを点灯させることにより呼出状態である旨を報知すると共に、台毎空気清浄装置３に対して呼出信号を出力する。
【００１９】
図８は、台毎空気清浄装置３の動作のうち本発明に関連した処理を示すフローチャートを示している。即ち、台毎空気清浄装置３は、呼出ランプ４から呼出信号を入力したかを判断しており（Ｓ１）、呼出ランプ４から呼出信号を入力したときは（Ｓ１：ＹＥＳ）、ファン１２を最大の「強」風量に切替えると共に（Ｓ２）、遮断装置１７を駆動して開閉部１９を降下する（Ｓ３）。すると、開閉部１９が降下し、当該開閉部１９の遮断部１９ｂによりエアカーテン用吹出口７が閉鎖されると同時に開口部１９ａにより報知用吹出口８が開口されるようになるので、それまでエアカーテン用吹出口７から吹出されていた空気が報知用吹出口８から吹出されるようになる。これにより、報知用吹出口８からの強い吹出しにより報知用吹出口８に取付けられた旗２０が強くなびくようになるので（図６参照）、旗２０に印刷された「呼出中！」という文字が視認可能となる。従って、図７に示すように従業員が遊技者に出玉の好調さをアピールするために遊技台島に設けられた差込部２４に表示プレート２５を差込んだ状態では、呼出ランプ４の状態報知が表示プレート２５に遮られてしまって視認し難い場合であっても、旗２０が強くはためくことにより呼出中の遊技台１が一目で分り、遊技者の呼出しに対して迅速に処理することができる。
【００２０】
このような従業員の呼出中においては、報知用吹出口８から「強」風量で空気が吹出されるので、エアカーテン用吹出口７から空気が吹出されることがなくとも、遊技台１間にエアカーテンを形成することができる。従って、遊技者が喫煙するにしても、隣の遊技者に対して煙草からの伏流煙が流れていき、隣の遊技者が不快な思いをすることを防止できる。
そして、遊技者による呼出しに応じた従業員が呼出ランプ４の呼出釦４ａを押下げ操作すると、呼出ランプ４は、所定ランプを消灯すると共に、台毎空気清浄装置３に出力していた呼出信号の出力を停止する。
【００２１】
台毎空気清浄装置３は、図８に示すように呼出ランプ４からの呼出信号の入力が停止したときは（Ｓ４：ＹＥＳ）、ファン１２の風量を元の強度に復帰すると共に（Ｓ５）、遮断装置１７を駆動して開閉部１９を上昇する（Ｓ６）。これにより、図３に示すように開閉部１９が上昇してエアカーテン用吹出口７が開口されると同時に報知用吹出口８が遮断部１９ｂにより閉鎖されるようになるので、それまで報知用吹出口８から吹出されていた空気がエアカーテン用吹出口７から元の風量で吹出されるようになり、遊技台１間にエアカーテンが継続して形成されるようになる。
【００２２】
このような実施例によれば、遊技者が呼出ランプ４の呼出釦４ａを操作したときは、台毎空気清浄装置３は、ファン１２を「強」風量に切替えると共に、空気の吹出口をエアカーテン用吹出口７から報知用吹出口８に切替えるので、呼出用の旗２０が強くはためくようになる。従って、エアカーテンの機能だけを有する従来例のものと違って、エアカーテン以外の呼出報知という新たな機能を付加することができる。しかも、呼出ランプ４の状態報知を表示プレート２５が遮ってしまう構成のものと違って、報知用吹出口８から送風を受けてはためく旗２０を島の横方向から一目で容易に確認することができるので、従業員が遊技者の呼出しに迅速に対応することができる。
【００２３】
（変形例）
本発明は上記実施例に限定されることなく、次のように変形または拡張してもよい。
報知用吹出口８から空気を吹出して旗２０をはためかせる判定条件としては、呼出ランプ４による呼出状態だけではなく、例えば大当り３０回以上、或いは出玉２０００玉以上のように表示プレート２５にて示すような条件となった場合や、大当り中であってもよく、その判定条件に基づいて旗２０を強くはためかせるようにしてもよい。
【００２４】
遊技台１に対応した中継装置や、集中管理装置（何れも図示せず）などにより台毎空気清浄装置３の旗２０への送風を制御するようにしてもよい。
呼出釦を台毎空気清浄装置３に設け、台毎空気清浄装置３のみで呼出機能を構成するようにしてもよい。また、呼出釦の押下げ操作に応じて呼出ランプ４に呼出信号を出力し、呼出ランプ４、或いは台毎空気清浄装置３の何れの呼出釦が押下げされた場合であっても、呼出報知を行うようにしてもよい。
【００２５】
遮断装置１７により報知用吹出口８のみを遮断するようにしてもよい。この場合、エアカーテン用吹出口７からは呼出報知を行っているときなどであっても空気が吹出されるようになる。
遮断装置１７により報知用吹出口８を遮断する構成としたが、エアカーテン用吹出口７に至るまでの送風路と、報知用吹出口８に至るまでの送風路とを区分けし、報知用吹出口に至るまでの送風路を遮断するようにしてもよいし、送風路をダンパにより切り替えるように構成してもよい。
【００２６】
報知手段となる旗２０は、報知用吹出口８からの空気の吹出しを受ける箇所（報知用吹出口８近傍）であれば、実施例以外に示した箇所以外に設けるようにしてもよい。
報知を行う場合に対応する遊技台１の左隣に設置された台毎空気清浄装置３のみにて報知するようにしたが、両隣の台毎空気清浄装置３により報知するようにしてもよい。この場合、呼出報知を行う場合は、呼出ランプ４より両隣の台毎空気清浄装置３へと呼出信号を出力する構成とすればよい。このようにすれば、報知効果を高めることが可能となる。
空気清浄機能を備えていない台毎装置に適用してもよい。
報知手段としては、旗２０に限らず、吹流し、風車、風を受けて視認可能に起き上がる文字板など、要は風を受けて動くものであれば種々変形可能である。
【図面の簡単な説明】
【００２７】
【図１】本発明の一実施例における台毎空気清浄装置の内部構造を呼出状態で模式的に示す側面図
【図２】台毎空気清浄装置の斜視図
【図３】通常状態で示す図１相当図
【図４】遮断装置の正面図
【図５】台毎空気清浄装置の構成を示すブロック図
【図６】遊技台島への設置状態で示す遊技台、台間玉貸機、台毎空気清浄装置を示す正面図
【図７】遊技台島の斜視図
【図８】台毎空気清浄装置の動作を示すフローチャート
【符号の説明】
【００２８】
図面中、１は遊技台、２は台間玉貸機、３は台毎空気清浄装置（台毎装置）、４は呼出ランプ、４ａは呼出釦（呼出操作受付手段）、５は装置本体、６は吸込口、７はエアカーテン用吹出口、８は報知用吹出口、１２はファン（送風手段）、１７は遮断装置（遮断手段）、２０は旗（報知手段）、２１は制御装置（判定手段）である。
【図１】
2008073427.tif 000003
【図２】
2008073427.tif 000004
【図３】
2008073427.tif 000005
【図４】
2008073427.tif 000006
【図５】
2008073427.tif 000007
【図６】
2008073427.tif 000008
【図７】
2008073427.tif 000009
【図８】
2008073427.tif 000010